(57)【特許請求の範囲】
【請求項１】
部屋に外部の光を採り入れる採光装置であって、
前記部屋の天井に設けられた凹所と、
この凹所の上部に設けられて、該凹所に外部の光を採り入れる採光口と、
前記凹所に設けられて、前記採光口から採り入れた光の前記部屋への入射光量を時刻の経過に伴って調整可能な光量調整手段と、
前記凹所に設けられて、時刻の経過に伴って発光量を調節可能な照明または前記光量調整手段によって、前記部屋への入射光量を時刻の経過に伴って調整される照明とを備えており、
前記採光口は天井の上にある屋根に設けられた天窓であり、
前記光量調整手段は、前記凹所の下面開口に設けられた電動ブラインドと、この電動ブラインドに接続されたタイマーとを備えており、
前記タイマーによって、時刻の経過に伴って前記電動ブラインドのスラットの回転量を調整することによって前記入射光量が調整されることを特徴とする採光装置。
【請求項２】
部屋に外部の光を採り入れる採光装置であって、
前記部屋の壁に外側に張り出して設けられた張出壁の内側で構成される凹所と、
この凹所の上部に設けられて、該凹所に外部の光を採り入れる採光口と、
前記凹所に設けられて、前記採光口から採り入れた光の前記部屋への入射光量を時刻の経過に伴って調整可能な光量調整手段と、
前記凹所に設けられて、時刻の経過に伴って発光量を調節可能な照明または前記光量調整手段によって、前記部屋への入射光量を時刻の経過に伴って調整される照明とを備えており、
前記採光口は前記凹所の屋根部に設けられた天窓であり、
前記光量調整手段は、前記凹所に前記天窓と対向して設けられた電動ブラインドと、この電動ブラインドに接続されたタイマーとを備えており、
前記タイマーによって、時刻の経過に伴って前記電動ブラインドのスラットの回転量を調整することによって前記入射光量が調整されることを特徴とする採光装置。
【請求項３】
請求項１または請求項２に記載の採光装置において、
前記凹所の下方には、ホリゾント部が設けられていることを特徴とする採光装置。
【発明の詳細な説明】
【技術分野】
【０００１】
本発明は、部屋に外部の光を採り入れる採光装置に係り、特に、目覚めを快適に行える採光装置に関する。
【背景技術】
【０００２】
住宅の屋根に天窓を設けるとともに、この天窓に電動ブラインドを取り付けた採光装置の一例として特許文献１に記載のものが知られている。
この採光装置では、日射量がある設定された一定値を超えたとき、日射センサーが感知して、その指令により一定時間電流を流して、小型モーターを回転させ、電動ブラインドのブラインド羽根（スラット）を閉じ、逆に、日射量がある設定された一定値未満となったとき、日射センサーが感知して、その指令により一定時間電流を流して、小型モーターを回転させ、ブラインド羽根（スラット）を開くようになっている。
【特許文献１】特開平０６−２８０４６０号公報
【発明の開示】
【発明が解決しようとする課題】
【０００３】
ところで、前記従来の採光装置では、日射量を日射センサーが感知して、電動ブラインドのスラットを開閉しているので、日射量に応じて部屋の明るさを調整できるが、部屋の明るさを時刻の経過に伴って調整することはできない。
例えば、毎朝６時に起床しなければならない会社員にとっては、夏場は電動ブラインドを通る光の光量が多すぎて、部屋が必要以上に明るくなって、快適な目覚めとはいい難くなる。一方、冬場は、外部がまだ暗いので、部屋が明るくならず、起床し難い。
【０００４】
本発明は上記事情に鑑みてなされたもので、部屋の明るさを時刻の経過に伴って調整することによって、快適な目覚めを行える採光装置を提供することを課題としている。
【課題を解決するための手段】
【０００５】
上記課題を解決するために、請求項１に記載の発明は、例えば図１に示すように、部屋５に外部の光を採り入れる採光装置１であって、
前記部屋５の天井に設けられた凹所１０と、
この凹所１０の上部に設けられて、該凹所１０に外部の光を採り入れる採光口１１と、
前記凹所１０に設けられて、前記採光口１１から採り入れた光の前記部屋５への入射光量を時刻の経過に伴って調整可能な光量調整手段１２と、
前記凹１０所に設けられて、時刻の経過に伴って発光量を調節可能な照明２０または前記光量調整手段１２によって、前記部屋５への入射光量を時刻の経過に伴って調整される照明とを備えており、
前記採光口１１は天井７の上にある屋根２ａに設けられた天窓１１であり、
前記光量調整手段１２は、前記凹所１０の下面開口に設けられた電動ブラインド１３と、この電動ブラインド１３に接続されたタイマーとを備えており、
前記タイマーによって、時刻の経過に伴って前記電動ブラインド１３のスラットの回転量を調整することによって前記入射光量が調整されることを特徴とする。
【０００６】
請求項１に記載の発明によれば、採光口１１から採り入れた光の前記部屋５へ入射光量を、光量調整手段１２によって、時刻の経過に伴って調整することによって、夏場は、例えば起床時刻より一定時間前の時刻から起床時刻まで、部屋５への入射光量を次第に多くしていって、部屋５を徐々に明るくしていき、冬場は、時刻の経過に伴って発光量を調節可能な照明２０または光量調整手段１２によって部屋５への入射光量を時刻の経過に伴って調整される照明の光によって、部屋５を起床時刻より一定時間前の時刻から起床時刻までに徐々に明るくすることができる。
また、春秋は、前記光量調整手段１２による光量の調整と、照明２０による光量の調整とを併用したり、あるいは一方を用いたりすることによって、部屋を徐々に明るくしていくことができる。
したがって、１年を通して快適な目覚めを行える。
また、光量調整手段１２が凹所１０の下面開口に設けられた電動ブラインド１３と、この電動ブラインド１３に接続されたタイマーとを備えているので、所望の時刻から徐々にスラットの回転量を調整することができ、これによって、容易に部屋５を徐々に明るくすることができる。
【０００７】
請求項２に記載の発明は、例えば図３に示すように、部屋に外部の光を採り入れる採光装置１であって、
前記部屋２４の壁２２に外側に張り出して設けられた張出壁２３の内側で構成される凹所２５と、
この凹所２５の上部に設けられて、該凹所２５に外部の光を採り入れる採光口２６と、
前記凹所２５に設けられて、前記採光口２６から採り入れた光の前記部屋２４への入射光量を時刻の経過に伴って調整可能な光量調整手段と、
前記凹所に設けられて、時刻の経過に伴って発光量を調節可能な照明または前記光量調整手段２７によって、前記部屋２４への入射光量を時刻の経過に伴って調整される照明２０とを備えており、
前記採光口２６は前記凹所２５の屋根部２３ｄに設けられた天窓２６であり、
前記光量調整手段２７は、前記凹所２５に前記天窓２６と対向して設けられた電動ブラインド１３と、この電動ブラインド１３に接続されたタイマーとを備えており、
前記タイマーによって、時刻の経過に伴って前記電動ブラインド１３のスラットの回転量を調整することによって前記入射光量が調整されることを特徴とする。
【０００８】
請求項２に記載の発明によれば、採光口２６から採り入れた光の前記部屋２４へ入射光量を、光量調整手段２７によって、時刻の経過に伴って調整することによって、夏場は、例えば起床時刻より一定時間前の時刻から起床時刻まで、部屋２４への入射光量を次第に多くしていって、部屋２４を徐々に明るくしていき、冬場は、時刻の経過に伴って発光量を調節可能な照明２０または光量調整手段２７によって部屋２４への入射光量を時刻の経過に伴って調整される照明の光によって、部屋２４を起床時刻より一定時間前の時刻から起床時刻までに徐々に明るくすることができる。
また、春秋は、前記光量調整手段２７による光量の調整と、照明２０による光量の調整とを併用したり、あるいは一方を用いたりすることによって、部屋を徐々に明るくしていくことができる。
したがって、１年を通して快適な目覚めを行える。
また、光量調整手段２７が凹所２５に天窓２６と対向して設けられた電動ブラインド１３と、この電動ブラインド１３に接続されたタイマーとを備えているので、所望の時刻から徐々にスラットの回転量を調整することができる。そして、電動ブラインド１３によって光量が調整された光は凹所２５に入り、この凹所２５の内壁面を反射して、部屋２４に拡散するので、部屋２５を直射日光に比して、穏やかに明るくすることがき、よって、より快適な目覚めを行える。
【０００９】
請求項３に記載の発明は、請求項１または請求項２に記載の採光装置１において、
前記凹所１０（２５）の下方には、ホリゾント部１５（４２）が設けられていることを特徴とする。
【００１０】
請求項３に記載の発明によれば、凹所１０（２５）の下方にホリゾント部１５（４２）が設けられているので、採光口１１（２６）から採り入れられ、電動ブラインド１３によって光量が調整された光がホリゾント部１５（４２）で反射して部屋５（２４）に拡散するので、部屋５（２４）を直射日光に比して、穏やかに明るくすることがき、よって、より快適な目覚めを行える。
【発明の効果】
【００１５】
本発明によれば、部屋の壁または天井に設けられた凹所と、この凹所の上部に設けられた採光口と、凹所に設けられた光量調整手段と、凹所に設けられた照明とを備えているので、採光口から採り入れた光の前記部屋への入射光量を、光量調整手段によって、時刻の経過に伴って調整することによって、夏場は、例えば起床時刻より一定時間前の時刻から起床時刻まで部屋の入射光量を次第に多くしていって、部屋を徐々に明るくしていき、冬場は、時刻の経過に伴って発光量を調節可能な照明または光量調整手段によって部屋への入射光量を時刻の経過に伴って調整される照明の光によって、部屋を起床時刻より一定時間前の時刻から起床時刻までに徐々に明るくすることができる。また、春秋は、前記光量調整手段による光量の調整と、照明による光量の調整とを併用したり、あるいは一方を用いたりすることによって、部屋を徐々に明るくしていくことができる。したがって、１年を通して快適な目覚めを行える。
【発明を実施するための最良の形態】
【００１６】
以下図面を参照して本発明の実施の形態について説明する。
（第１の実施の形態）
図１は本発明に係る採光装置１を備えた住宅の概略構成を示す断面図である。
住宅の屋根２は、互いに異なる方向に傾斜する二つの屋根部２ａ，２ｂを備えた切妻屋根であり、屋根部２ａは屋根部２ｂより棟から軒先までの長さが長くなっている。
住宅内には内壁３が設けられており、この内壁３の左右側にそれぞれ部屋４，５が設けられている。また、内壁３は屋根２の棟より若干屋根部２ａ側に寄せて設けられている。
【００１７】
右側の部屋４は水平な天井６を備えており、左側の部屋５は、屋根部２ａの傾斜に沿って設けられた傾斜天井７を備えている。
傾斜天井７の棟側に近い部位でかつ内壁３の近傍には、凹所１０が設けられている。この凹所１０は、採光装置１を構成するものであり、傾斜天井７の裏面から屋根部２ａの表面まで窪むようにして形成されている。凹所１０の上部には、天窓１１が設けられており、この天窓１１が凹所１０に外部の光を採り入れる採光口となっている。天窓１１は、傾斜天井７に形成された開口部に嵌め込まれた枠体１１ａと、この枠体１１ａに開閉可能に取り付けられた枠付きのガラス窓１１ｂを備えており、このガラス窓１１ｂを通して外部の光を凹所１０に採り入れるようになっている。なお、ガラス窓１１ｂは開閉可能でなくてもよい。
【００１８】
前記凹所１０の下部には、天窓１１から採り入れた光の部屋５へ入射光量を時刻の経過に伴って調整可能な光量調整手段１２が設けられている。この光量調整手段１２は、凹所１０の下面開口に設けられた電動ブラインド１３と、この電動ブラインド１３に電気的に接続されたタイマーを備えたコントローラ１４とから構成されている。
電動ブラインド１３は、多数のスラットを有しており、各スラットはその長手方向の軸回りに回転可能となっている。多数のスラットは図示しない電動モータによって同期して回転するようになっており、スラットが回転することによって、電動ブラインド１３を透過できる光の光量を調整できるようになっている。なお、多数のスラットは横になった状態で隣り合うものどうしの一部が重なることによって、電動ブラインド１３が全閉状態となり、スラットが回転して立ち上がることによって隣り合うスラットどうしの隙間から光が透過するようになっている。
【００１９】
前記コントローラ１４は、前記電動モータをＯＮ・ＯＦＦしたり、電動モータの起動（ＯＮ）時刻や停止（ＯＦＦ）時刻を設定できるものであり、これら時刻はコントローラ１４に備えられたタイマーからの出力信号によって検知できるようになっている。なお、電動モータの起動（ＯＮ）時刻や停止（ＯＦＦ）時刻の設定は、使用者がコントローラ１４を操作することによって行えるようになっている。
【００２０】
このコントローラ１４では、例えば朝６時に起床したい場合に、起動時刻を６時と設定すれば、その所定時間前、例えば１５分前の５時４５分に電動モータを起動させるように設定でき、１５分後の６時に停止させるるように設定できるようになっている。そして、電動モータが起動してから停止するまでの時間（例えば１５分）では、電動モータが低速で回転し、電動ブラインド１３のスラットが全閉状態から全開状態まで低速で回転するようになっている。つまり、電動ブラインド１３を構成する多数のスラットは、例えば１５分位かけて遮光状態である全閉状態から全開状態までゆっくりと前記電動モータによって回転されるようになっている。この際、スラットが回転することによって、隣り合うスラット間に形成される隙間の多きさや向きが変化していくので、電動ブラインド１３を透過できる光の光量を調整できる。
このように、前記タイマーで電動モータの起動時刻と停止時刻とを設定することによって、時刻の経過に伴って電動ブラインド１３のスラットの回転量を調整でき、これによって入射光量（電動ブラインド１３を透過できる光の光量）が調整されるようになっている。
【００２１】
また、前記コントローラ１４は、例えばコントローラ１４に設けられたボタンを押して、電動モータを高速で回転させることによって、スラットを高速で回転させる機能を有しており、この電動モータを高速で正回転させることで、スラットは開く方向に高速で回転し、電動モータを高速で逆回転させることで、スラットは閉じる方向に高速で回転するようになっている。
したがって、夜就寝する前などに、電動モータを高速で回転させて、スラットを高速で回転させて全閉状態としておくことによって、起床時刻前になると、電動モータがゆっくりと回転してスラットがゆっくりと回転して開き始めるようになっている。
【００２２】
前記凹所１０の下方には、断面円弧状に形成されたホリゾント部１５が設けられている。このホリゾント部１５は、前記内壁３の表面に貼り付けられた白色系の壁紙上に、例えば布等で形成された白色系の薄膜を電動ブラインド１３の直下から内壁３に沿って垂下させたうえで、下端部が凹曲面となるように断面円弧状に撓めたうえで、下端を台１６の上端部に固着して形成されたものである。また、ホリゾント部１５は断面円弧状の凹曲面が前記傾斜天井７側を向いている。
なお、前記壁紙は、白色漆喰クロス等、表面粒子の細かい材料で形成されている。
傾斜天井７の表面（下面）にも前記壁紙と同様の白色系の壁紙が貼り付けられており、ホリゾント部１５で反射した光は、傾斜天井７の表面の壁紙でさらに反射して、ベッド１７で寝ている住人に向かうようになっている。
【００２３】
また、前記凹所１０には、照明２０が凹所１０を形成する壁面に固定されて設けられている。
この照明２０は、時刻の経過に伴って発光量を調節可能なものであり、前記コントローラ１４に電気的に接続されている。このコントローラ１４は、前記電動モータのＯＮ・ＯＦＦ等に加えて、照明２０のＯＮ・ＯＦＦや、照明２０の点灯（ＯＮ）時刻や消灯（ＯＦＦ）時刻を設定できるものであり、これら時刻はコントローラ１４に備えられたタイマーからの出力信号によって検知できるようになっている。なお、照明２０の点灯（ＯＮ）時刻や消灯（ＯＦＦ）時刻の設定は、使用者がコントローラ１４を操作することによって行えるようになっている。
また、前記照明２０はその照度（光量）を時刻の経過に伴って連続的に変化させる機能を備えており、例えば、照明２０が所定の設定時刻に点灯した場合、時刻の経過に伴って徐々に照度が高くなるようになっている。
さらに、前記照明２０は、悪天候時などの外部が比較的暗い際に、前記コントローラ１４によって、所望の時刻にＯＮ・ＯＦＦできるようになっている。
【００２４】
上記のような構成の採光装置１を使用する場合、まず、就寝前等の適当な時刻に、コントローラ１４によって、電動ブラインド１３のスラットを回転させる電動モータの起動（ＯＮ）時刻や停止（ＯＦＦ）時刻を設定しておく。なお、電動ブラインド１３は図２（ａ）に示すように、全閉状態としておく。
そして、例えば、夏場において６時に起床したい場合、起動時刻を６時と設定すると、電動モータはその１５分前の５時４５分に起動し、低速で回転し始め、これによって電動ブラインド１３のスラットが低速で回転し始めて開いていく。この場合、まず図２（ｂ）に示すように、電動ブラインド１３のスラットの下端部が内壁３側を向くので、天窓１１から採り入れた光は、スラットで反射して内壁３側に向かい、さらに内壁３の表面で反射して、部屋５に拡散していく。これにより、部屋が若干明るくなる。
【００２５】
次に、図２（ｃ）に示すように、スラットがさらに回転してその下端部が直下を向くと、天窓１１から採り入れた光はスラット間を下方に向けて通り抜けて行き、凹所１０の下方のホリゾント部１５（図１参照）で反射し、さらに、傾斜天井７の表面の壁紙で反射して、ベッド１７で寝ている住人に向かうようになる。これによって、部屋５がもう少し明るくなるとともに、ベッド１７で寝ている住人の近傍が明るくなり、住人は覚醒し始める。
次に、図２（ｄ）に示すように、スラットがさらに回転してその下端部が内壁３と反対側を向くと、天窓１１から採り入れた光は、スラットで反射してベッド１７側に向かって行き、ベッド１７で寝ている住人の近傍がより明るくなり、住人は目覚める。
このように、直接の太陽光ではなく、天窓１１から採り入れた光の部屋５への入射光量を次第に多くしていって、部屋を徐々に明るくしていくので、住人は極度のまぶしさが避けられ、住人をノンレム睡眠からレム睡眠、覚醒へと導くことができ、住人は快適な目覚めとなる。
【００２６】
一方、冬場において６時に起床したい場合、６時ごろはまだ外部は暗いので、前記コントローラ１４によって、５時４５分ころに照明２０が点灯するように設定しておく。この設定は、前記電動モータの起動時刻と連動するようにしておいてもよいし、照明２０の点灯（ＯＮ）時刻を単独で設定しておいてもよい。なお、前記電動モータの起動時刻も夏場と同様に設定しておく。
そして、５時４５分になると、図２（ｂ）に示すように、電動モータが起動し、低速で回転し始め、これによって電動ブラインド１３のスラットが低速で回転し始めて開いていくとともに、照明２０が最初は少ない照度（光量）で点灯し始める。
すると、電動ブラインド１３のスラットの下端部が内壁３側を向くので、照明２０からの光は、スラットで反射して内壁３側に向かい、さらに内壁３の表面で反射して、部屋５に拡散していく。これにより、部屋が若干明るくなる。
【００２７】
次に、図２（ｃ）に示すように、スラットがさらに回転してその下端部が直下を向くと、照明２０は時間の経過とともに、照度が高くなっていき（光量が多くなっていき）、この照明２０からの光はスラット間を下方に向けて通り抜けて行き、凹所１０の下方のホリゾント部１５（図１参照）で反射し、さらに、傾斜天井７の表面の壁紙で反射して、ベッド１７で寝ている住人に向かうようになる。これによって、部屋５がもう少し明るくなるとともに、ベッド１７で寝ている住人の近傍が明るくなり、住人は覚醒し始める。
次に、図２（ｄ）に示すように、スラットがさらに回転してその下端部が内壁３と反対側を向くと、照明２０は時間の経過とともに、さらに照度が高くなっていき、この照明２０からの光はスラットで反射してベッド１７側に向かって、ベッド１７で寝ている住人の近傍がより明るくなり、住人は目覚める。
このように、照明２０からの光の部屋５への入射光量を次第に多くしていって、部屋を徐々に明るくしていくので、住人は極度のまぶしさが避けられ、住人をノンレム睡眠からレム睡眠、覚醒へと導くことができ、住人は快適な目覚めとなる。
【００２８】
なお、本例では照明２０を時刻の経過に伴って発光量を調節可能なものとしたが、これに代えて、一定の照度で発光する照明としてもよい。この場合、電動ブラインド１３によって、照明２０からの部５屋への入射光量を時刻の経過に伴って調整できる。
【００２９】
本実施の形態によれば、天窓１１から採り入れた光の部屋５へ入射光量を、電動ブラインド１３によって、時刻の経過に伴って調整することによって、夏場は、例えば起床時刻より一定時間（例えば１５分）前の時刻から起床時刻まで、部屋５への入射光量を次第に多くしていって、部屋５を徐々に明るくしていき、冬場は、時刻の経過に伴って発光量を調節可能な照明２０の光によって、部屋５を起床時刻より一定時間前の時刻から起床時刻までに徐々に明るくすることができる。
また、春秋は、電動ブラインド１３による光量の調整と、照明２０による光量の調整とを併用したり、あるいは一方を用いたりすることによって、部屋５を徐々に明るくしていくことができる。
したがって、１年を通して快適な目覚めを行える。
【００３０】
（第２の実施の形態）
図３は本発明に係る採光装置２１を備えた住宅の概略構成を示す断面図である。
住宅の外壁２２には、外側に張り出してなる張出壁２３が壁２２に形成された開口部２２ａに面して形成されている。この張出壁２２は、開口部２２ａに対向して設けられた前壁部２３ａと、この前壁部２３ａと開口部２２ａの下縁部との間に設けられた底壁部２３ｂと、前壁部２３ａの両側部と外壁２２との間に設けられた側壁部２３ｃ，２３ｃと、側壁部２３ｃ，２３ｃの上端部および前壁部２３ａ上に設けられら屋根部２３ｄとによって構成されている。
【００３１】
前壁部２３ａおよび側壁部２３ｃ，２３ｃはそれら上端部が前記開口部２２ａの上縁部より上方に位置しており、側壁部２３ｃ，２３ｃの上端面は、下方に傾斜する傾斜面とされている。屋根部２３ｄはこの傾斜面に設けられており、その軒先部は前壁部２３ａによって支持されており、先端は前壁部２３ａより突出している。
このようにして形成された張出壁２２の内側が部屋２４に設けられた凹所２５となっている。
この凹所２５の上部、すなわち屋根部２３ｄには、採光口となる天窓２６が設けられている。
また、前記凹所２５の上部には、前記天窓２６に対向して、光量調整手段２７が設けられている。この光量調整手段２７は、前記第１の実施の形態と同様に、電動ブラインド１３と、この電動ブラインド１３に接続されたタイマーを備えたコントローラ１４とから構成されている。
さらに、凹所２５には、前記第１の実施の形態と同様に、照明２０が凹所２５を形成する壁面２９に固定されて設けられている。この照明２０が固定された壁面２９の下端部は部屋２４の天井２８より下方に突出している。つまり、壁面２９を形成する壁３０が天井２８より下方に突出している。
【００３２】
照明２０は、第１の実施の形態と同様に、時刻の経過に伴って発光量を調節可能なものであり、前記コントローラ１４に接続されている。なお、このコントローラ１４は部屋２４を形成する内壁面に固定されている。
また、凹所２５の内壁面には、白色系の壁紙が貼り付けられている。具体的には、前記張出壁２３を構成する前壁部２３ａの内面、側壁部２３ｃの内面、底壁部２３ｂの上面、前壁部２３ａと対向する前記壁面２９に前記壁紙が貼り付けられている。壁面２９に貼り付けられた壁紙は、天井２８に貼り付けられた壁紙を壁３０の下端部から回り込ませたうえで、壁面２９に沿って天窓２６まで貼り付けられている。
【００３３】
上記のような構成の採光装置２１を使用する場合、前記採光装置１と同様に、まず、就寝前等の適当な時刻に、コントローラ１４によって、電動ブラインド１３のスラットを回転させる電動モータの起動（ＯＮ）時刻や停止（ＯＦＦ）時刻を設定しておく。なお、電動ブラインド１３は図４（ａ）に示すように、全閉状態としておく。
そして、例えば、夏場において７時に起床したい場合、起動時刻を７時と設定すると、図４（ｂ）に示すように、電動モータはその３０分前の６時３０分に起動し、低速で回転し始め、これによって電動ブラインド１３のスラットが低速で回転し始めて開いていき、天窓２６から採り入れた光が電動ブラインド１３のスラットで反射して凹所２５を斜め下方に向かい、さらに、凹所２５の内壁面に貼り付けられた壁紙で反射して、部屋２４に拡散していく。電動ブラインド１３のスラットの回転に伴って、天窓２６から採り入れた光は、部屋２４に次第に光量を多くしながら拡散していき、これによって、住人は極度のまぶしさが避けられ、住人をノンレム睡眠からレム睡眠、覚醒へと導くことができ、住人は快適な目覚めとなる。
【００３４】
一方、冬場において７時起床したい場合、７時ごろはまだ外部は薄暗いので、前記コントローラによって、６時３０分ころに照明２０が点灯するように設定しておく。この設定は、前記電動モータの起動時刻と連動するようにしておいてもよいし、照明２０の点灯（ＯＮ）時刻を単独で設定しておいてもよい。なお、前記電動モータの起動時刻も夏場と同様に設定しておく。また、電動ブラインド１３は図４（ｃ）に示すように、全閉状態としておく。
そして、６時３０分になると、図４（ｄ）に示すように、電動モータが起動し、低速で回転し始め、これによって電動ブラインド１３のスラットが低速で回転し始めて開いていくとともに、時刻の経過に伴って照明２０は光量を徐々に多くしながら点灯する。照明２０からの光は凹所２５を斜め下方に向かい、さらに、凹所２５の内壁面に貼り付けられた壁紙で反射して、部屋２４に拡散していく。
また、外が少しずつ明るくなっていくので、電動ブラインド１３のスラットの回転に伴って、天窓２６から採り入れた光は、部屋２４に次第に光量を多くしながら拡散していく。
このように、住人は照明２０と天窓２６から採り入れた光によって、極度のまぶしさが避けられ、住人をノンレム睡眠からレム睡眠、覚醒へと導くことができ、住人は快適な目覚めとなる。
また、春秋は、電動ブラインド１３による光量の調整と、照明２０による光量の調整とを併用したり、あるいは一方を用いたりすることによって、部屋２４を徐々に明るくしていくことができる。
したがって、１年を通して快適な目覚めを行える。
【００３５】
（第３の実施の形態）
図５は本発明に係る採光装置３１を備えた住宅の概略構成を示す断面図である。
本実施の形態の係る採光装置３１が、第１の実施の形態の採光装置１と異なる点は、凹所１０に設ける光量調整手段１２の構成と照明２０の取り付け位置であるので、以下ではこの点について詳しく説明し、第１の実施の形態と同様の構成には同一符号を付してその説明を省略または簡略化する。
【００３６】
本実施の形態の光量調整手段１２は、凹所１０の下面開口に設けられた電動フラップ３２と、この電動フラップ３２に接続されたタイマーを備えたコントローラ３３とから構成されている。
電動フラップ３２は、凹所１０の下端開口を全閉できるような大きさの板体で形成されており、その一端部が内壁３の上端部に上下に回転可能に取り付けられている。そして、電動フラップ３２はその一端部を軸として図示しない電動モータによって、上下に回転可能となっている。すなわち、電動フラップ３２は、凹所１０の下端開口を全閉とする水平位置と、全開とする垂直起立位置との間で、電動モータによってゆっくりと一端部を軸として上下に回転するようになっている。
これによって、電動フラップ３２と凹所１０の内壁面との間の隙間量を調整できるので、天窓１１から採り入れた光の部屋５への入射光量を調整可能となっている。
【００３７】
前記コントローラ３３は、前記電動モータをＯＮ・ＯＦＦしたり、電動モータの起動（ＯＮ）時刻や停止（ＯＦＦ）時刻を設定できるものであり、これら時刻はコントローラ３３に備えられたタイマーからの出力信号によって検知できるようになっている。なお、電動モータの起動（ＯＮ）時刻や停止（ＯＦＦ）時刻の設定は、使用者がコントローラ３３を操作することによって行えるようになっている。このコントローラ３３では、例えば朝６時に起床したい場合に、起動時刻を６時と設定すれば、その所定時間前、例えば１５分前の５時４５分に電動モータを起動させるように設定でき、１５分後の６時に停止させるるように設定できるようになっている。そして、電動モータが起動してから停止するまでの時間（例えば１５分）では、電動モータが低速で回転し、電動フラップ３２が全閉状態から全開状態まで低速で回転するようになっている。
このように、前記タイマーで電動モータの起動時刻と停止時刻とを設定することによって、時刻の経過に伴って電動フラップ３２の回転量を調整でき、これによって入射光量（電動フラップ３２と凹所１０の内壁面との間の隙間を透過できる光の光量）が調整されるようになっている。
【００３８】
また、前記コントローラ３３は、コントローラ３３に設けられたボタンを押して、電動モータを高速で回転させることによって、電動フラップ３２を高速で回転させる機能を有しており、この電動モータを高速で正回転させることで、電動フラップ３２は開く方向に高速で回転し、電動モータを高速で逆回転させることで、電動フラップ３２は閉じる方向に高速で回転するようになっている。
したがって、夜就寝する前などに、電動モータを高速で回転させて、電動フラップ３２を高速で回転させて全閉状態としておくことによって、起床時刻前になると、電動モータがゆっくりと回転して電動フラップ３２がゆっくりと回転して開き始めるようになっている。
【００３９】
また、前記凹所１０の下端部には、垂壁３４が垂下して、かつ内壁３と平行に設けられており、この垂壁３４の内壁面に前記照明２０が固定されている。垂壁３４の内壁面に照明２０を固定することによって、この照明２０からの光が直接部屋５に入射しないようなっている。
【００４０】
上記のような構成の採光装置３１を使用する場合、前記採光装置１と同様に、まず、就寝前等の適当な時刻に、コントローラ３３によって、電動フラップ３２を回転させる電動モータの起動（ＯＮ）時刻や停止（ＯＦＦ）時刻を設定しておく。なお、電動フラップ３２は全閉状態としておく。
そして、例えば、夏場において７時に起床したい場合、起動時刻を７時と設定すると、電動モータはその３０分前の６時３０分に起動し、低速で回転し始め、これによって電動フラップ３２が低速で回転し始めて開いていき、天窓１１から採り入れた光が電動フラップ３２と凹所１０の内壁面との間の隙間を透過して、凹所１０の下方のホリゾント部１５で反射し、さらに、傾斜天井７の表面の壁紙で反射して、ベッド１７で寝ている住人に向かうようになる。
そして、電動フラップ３２の回転に伴って、電動フラップ３２と凹所１０の内壁面との間の隙間を透過する光の光量が徐々に多くなるので、ホリゾント部１５で反射する光の光量も徐々に多くなり、部屋５が徐々に明るくなっていく。これによって、住人は極度のまぶしさが避けられ、住人をノンレム睡眠からレム睡眠、覚醒へと導くことができ、住人は快適な目覚めとなる。
【００４１】
一方、冬場において７時起床したい場合、７時ごろはまだ外部は薄暗いので、前記コントローラ３３によって、６時３０分ころに照明２０が点灯するように設定しておく。この設定は、前記電動モータの起動時刻と連動するようにしておいてもよいし、照明２０の点灯（ＯＮ）時刻を単独で設定しておいてもよい。なお、前記電動モータの起動時刻も夏場と同様に設定しておく。また、電動フラップ３２は全閉状態としておく。
そして、６時３０分になると、電動モータが起動し、低速で回転し始め、これによって電動フラップ３２が低速で回転し始めて開いていくとともに、時刻の経過に伴って照明２０は光量を徐々に多くしながら点灯する。照明２０からの光は下方に向かい、凹所１０の下方のホリゾント部１５で反射し、さらに、傾斜天井７の表面の壁紙で反射して、ベッド１７で寝ている住人に向かうようになる。また、外が少しずつ明るくなっていくので、電動フラップ３２の回転に伴って、天窓１１から採り入れた光は、次第に光量を多くしながら下方に向かって、ホリゾント部１５で反射して、ベッド１７で寝ている住人に向かうようになる。
なお、冬場においては、７時ころはまだ外部が薄暗いので、電動フラップ３２を全開の状態にしておき、照明２０によって部屋５への入射光量を時刻の経過に伴って調整してもよい。
【００４２】
このように、住人は照明２０と天窓１１から採り入れた光によって、極度のまぶしさが避けられ、住人をノンレム睡眠からレム睡眠、覚醒へと導くことができ、住人は快適な目覚めとなる。
また、春秋は、電動フラップ３２による光量の調整と、照明２０による光量の調整とを併用したり、あるいは一方を用いたりすることによって、部屋５を徐々に明るくしていくことができる。
したがって、１年を通して快適な目覚めを行える。
【００４３】
（第４の実施の形態）
図６は本発明に係る採光装置４１を備えた住宅の概略構成を示す断面図である。
本実施の形態の係る採光装置４１が、第３の実施の形態の採光装置２１と異なる点は、凹所２５に設ける光量調整手段２７の構成と照明２０の取り付け位置であるので、以下ではこの点について詳しく説明し、第３の実施の形態と同様の構成には同一符号を付してその説明を省略または簡略化する。
【００４４】
本実施の形態の光量調整手段２７は、凹所２５の上部に設けられた電動フラップ３２と、この電動フラップ３２に接続されたタイマーを備えたコントローラ３３とから構成されている。なお、電動フラップ３２およびコントローラ３３自体は、第３実施の形態における電動フラップ３２およびコントローラ３３と等しいものであるので、その説明は省略する。
電動フラップ３２の一端部は前記壁３０に上下に回転可能に取り付けられており、電動モータによって上下に回転するようになっている。
また、電動フラップ３２は、第３の実施の形態と同様に、凹所２５の上部の壁３０の壁面と張出壁２３の内壁面とで囲まれた開口を全閉とする水平位置と、全開とする垂直起立位置との間で電動モータによってゆっくりと一端部を軸として上下に回転するようになっている。これによって、電動フラップ３２と張出壁２３の前壁部２３ａの内壁面との間の隙間量を調整できるので、天窓２６から採り入れた光の部屋２４への入射光量を調整可能となっている。
また、前記壁３０には、前記電動フラップ３２より下方位置において、照明２０が固定されている。
【００４５】
上記のような構成の採光装置４１を使用する場合、前記採光装置２１と同様に、まず、就寝前等の適当な時刻に、コントローラ３３によって、電動フラップ３２を回転させる電動モータの起動（ＯＮ）時刻や停止（ＯＦＦ）時刻を設定しておく。なお、電動フラップ３２は全閉状態としておく。
そして、例えば、夏場において７時に起床したい場合、起動時刻を７時と設定すると、電動モータはその３０分前の６時３０分に起動し、低速で回転し始め、これによって電動フラップ３２が低速で回転し始めて開いていき、天窓２６から採り入れた光が電動フラップ３２と前壁部２３ａの内壁面との間の隙間を透過し、さらに、凹所２５の内壁面に貼り付けられた壁紙で反射して、部屋２４に拡散していく。電動フラップ３２の回転に伴って、天窓２６から採り入れた光は、部屋２４に次第に光量を多くしながら拡散していき、これによって、住人は極度のまぶしさが避けられ、住人をノンレム睡眠からレム睡眠、覚醒へと導くことができ、住人は快適な目覚めとなる。
【００４６】
一方、冬場において７時起床したい場合、７時ごろはまだ外部は薄暗いので、前記コントローラ３３によって、６時３０分ころに照明２０が点灯するように設定しておく。この設定は、前記電動モータの起動時刻と連動するようにしておいてもよいし、照明２０の点灯（ＯＮ）時刻を単独で設定しておいてもよい。なお、前記電動モータの起動時刻も夏場と同様に設定しておく。また、電動フラップ３２は全閉状態としておく。
そして、６時３０分になると、電動モータが起動し、低速で回転し始め、これによって電動フラップ３２が低速で回転し始めて開いていくとともに、時刻の経過に伴って照明２０は光量を徐々に多くしながら点灯する。照明２０からの光は凹所２５の内壁面に貼り付けられた壁紙で反射して、部屋２４に拡散していく。
なお、冬場においては、７時ころはまだ外部が薄暗いので、電動フラップ３２を全開の状態にしておき、照明２０によって部屋２４への入射光量を時刻の経過に伴って調整してもよい。
【００４７】
このように、住人は照明２０と天窓２６から採り入れた光によって、極度のまぶしさが避けられ、住人をノンレム睡眠からレム睡眠、覚醒へと導くことができ、住人は快適な目覚めとなる。
また、春秋は、電動フラップ３２による光量の調整と、照明２０による光量の調整とを併用したり、あるいは一方を用いたりすることによって、部屋２４を徐々に明るくしていくことができる。
したがって、１年を通して快適な目覚めを行える。
【００４８】
なお、前記第２および第４の実施の形態において、張出壁２３の内側に、図１および図５に示したホリゾント部１５と同様の形状のホリゾント部４２を設けてもよい。ホリゾント部４２を設けることによって、天窓２６や照明２０からの光を部屋２４に効果的に拡散させることができる。
【図面の簡単な説明】
【００４９】
【図１】本発明の第１の実施の形態を示すもので、採光装置を備えた住宅の概略構成を示す断面図である。
【図２】同、採光装置の光調整手段を示す断面図である。
【図３】本発明の第２の実施の形態を示すもので、採光装置を備えた住宅の概略構成を示す断面図である。
【図４】同、採光装置の光調整手段を示す断面図である。
【図５】本発明の第３の実施の形態を示すもので、採光装置を備えた住宅の概略構成を示す断面図である。
【図６】本発明の第４の実施の形態を示すもので、採光装置を備えた住宅の概略構成を示す断面図である。
【符号の説明】
【００５０】
１，２１，３１，４１  採光装置
２  屋根
５，２４  部屋
７  傾斜天井（天井）
１０，２５  凹所
１１，２６  天窓（採光口）
１２，２７  光量調整手段
１３  電動ブラインド
１４  コントローラ
１５，４２  ホリゾント部
２０  照明
２３  張出壁
３２  電動フラップ
３３  コントローラ
【図１】
0005289828.tif 000002
【図２】
0005289828.tif 000003
【図３】
0005289828.tif 000004
【図４】
0005289828.tif 000005
【図５】
0005289828.tif 000006
【図６】
0005289828.tif 000007